(57)【要約】      （修正有）【課題】ウェットティッシュを必要なときに、適温に制御し、加熱時に水分の減少を抑制することができウェットティッシュ用蓋を提供する。【解決手段】ティッシュ取り出し口となる孔部１１を有する台座１０と、台座に着脱可能な蓋体２０と、蓋体の底面に取り付けられ、蓋体が台座に取り付けられたときにウェットティッシュの温度を制御する変温ユニットとを備えたウェットティッシュ用蓋であって、変温ユニットは底蓋体３１と、温度制御部とを含み、温度制御部は底蓋体と蓋体との間に設置され、温度制御部は、外部電源に接続されるコネクタと、電流に基づいて底蓋体を加熱と冷却との少なくとも一方を行う変温素子と、周囲の明るさによりオンオフし、変温素子に流す電流の導通と遮断を行うスイッチ部とを備える。【選択図】図２
2019001547.tif 000002
【特許請求の範囲】
【請求項１】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体を加熱と冷却との少なくとも一方を行う変温素子と、周囲の明るさによりオンオフし、前記変温素子に流す前記電流の導通と遮断を行うスイッチ部とを備える、ウェットティッシュ用蓋。
【請求項２】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体に対する加熱と冷却との少なくとも一方を行う変温素子と、周囲の温度を検出する外部温度検出素子と、前記外部温度検出素子により検出された温度に基づいて前記変温素子に流す前記電流を制御する電流制御部とを備える、ウェットティッシュ用蓋。
【請求項３】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体に対する加熱と冷却との少なくとも一方を行う変温素子と、前記台座に対する前記蓋体の着脱による前記蓋体の開閉を検出する開閉検出スイッチと、を備え、
前記開閉検出スイッチは、検出された前記蓋体の開閉に基づいて前記変温素子に流す前記電流を制御する、ウェットティッシュ用蓋。
【請求項４】
前記コネクタはバッテリに接続され、該バッテリから前記電流が供給される、請求項１から３のいずれか１項に記載のウェットティッシュ用蓋。
【請求項５】
前記バッテリのバッテリ残量を検出する検出部を備え、該バッテリ残量に基づいて前記変温素子に流す電流を制御する請求項４に記載のウェットティッシュ用蓋。
【請求項６】
前記バッテリのバッテリ残量を検出する検出部を備え、前記検出部からのバッテリ残量を報知する報知部を備えた、請求項４に記載のウェットティッシュ用蓋。
【請求項７】
周囲の温度を検出する外部温度検出素子と、前記外部温度検出素子により検出された温度に基づいて前記変温素子に流す前記電流を制御する電流制御部とを備える、請求項１、３〜６のいずれか１項に記載のウェットティッシュ用蓋。
【請求項８】
前記台座に対する前記蓋体の着脱による前記蓋体の開閉を検出する開閉検出スイッチを備え、
前記開閉検出スイッチは、検出された前記蓋体の開閉に基づいて前記変温素子に流す前記電流を制御する、請求項１、２、及び４〜７のいずれか１項に記載のウェットティッシュ用蓋。
【請求項９】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子を備え、周囲の明るさにより前記変温素子に流す電流の導通と遮断を行う、ウェットティッシュ温度制御方法。
【請求項１０】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子を備え、周囲の温度により前記変温素子に流す前記電流を制御する、ウェットティッシュ温度制御方法。
【請求項１１】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子と、前記台座に対する前記蓋体の着脱による前記蓋体の開閉を検出する開閉検出スイッチとを備え、前記開閉検出スイッチは、検出された前記蓋体の開閉に基づいて前記変温素子に流す前記電流を制御する、ウェットティッシュ温度制御方法。
【発明の詳細な説明】
【技術分野】
【０００１】
本発明は、ウェットティッシュを加熱又は冷却することのできるウェットティッシュ用蓋及びウェットティッシュ温度制御方法に関する。
【背景技術】
【０００２】
ウェットティッシュは、封入袋に、水分、アルコール等を含む不織布が挿入されて構成される。ウェットティッシュは、例えば、乳幼児のおしり拭き、手の清浄に用いられる。
【０００３】
ウェットティッシュの不織布は水分を含んだ状態で使用されるので、気温の低い季節に用いると、使用者が冷たく感じる場合があった。気温の低い季節においても冷たく感じることなく使用できるように、ウェットティッシュを温めて使用する方法が提案されている。
【０００４】
特許文献１は、不織布取り出し用開口部、および開口部を覆い、開閉自在に取り付けられた上蓋を有し、封入袋の外側からヒーターを用いて加温するウェットティッシュ加温装置であって、ウェットティッシュ加温装置が封入袋上面を実質的に覆い、ウェットティッシュ加温装置が封入袋の上面に貼着して使用されることを開示している。
【先行技術文献】
【特許文献】
【０００５】
【特許文献１】特開平１１−１９７０４８号公報
【発明の概要】
【発明が解決しようとする課題】
【０００６】
ウェットティッシュを外側から加熱する場合に、または、外気温が高くなった場合に、不織布から水分が蒸発して乾燥しやすくなる。
【０００７】
本発明は、ウェットティッシュが必要なときに、適温に制御し、加熱による水分の減少を抑制することができるウェットティッシュ用蓋を提供することを目的とする。
【課題を解決するための手段】
【０００８】
（１）  本発明に係るウェットティッシュ用蓋は、ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体を加熱と冷却との少なくとも一方を行う変温素子と、周囲の明るさによりオンオフし、前記変温素子に流す前記電流の導通と遮断を行うスイッチ部とを備える、ウェットティッシュ用蓋である。
【０００９】
（２）  また本発明に係るウェットティッシュ用蓋は、ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体に対する加熱と冷却との少なくとも一方を行う変温素子と、周囲の温度を検出する外部温度検出素子と、前記外部温度検出素子により検出された温度に基づいて前記変温素子に流す前記電流を制御する電流制御部とを備える、ウェットティッシュ用蓋である。
【００１０】
（３）    また本発明に係るウェットティッシュ用蓋は、ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体に対する加熱と冷却との少なくとも一方を行う変温素子と、前記台座に対する前記蓋体の着脱による前記蓋体の開閉を検出する開閉検出スイッチと、を備え、
前記開閉検出スイッチは、検出された前記蓋体の開閉に基づいて前記変温素子に流す前記電流を制御する、ウェットティッシュ用蓋である。
【００１１】
（４）  上記（１）から（３）のいずれかのウェットティッシュ用蓋において、前記コネクタはバッテリに接続され、該バッテリから前記電流が供給されてもよい。
【００１２】
（５）  上記（４）のウェットティッシュ用蓋において、前記バッテリのバッテリ残量を検出する検出部を備え、該バッテリ残量に基づいて前記変温素子に流す電流を制御してもよい。
【００１３】
（６）  上記（４）のウェットティッシュ用蓋において、前記バッテリのバッテリ残量を検出する検出部を備え、前記検出部からのバッテリ残量を報知する報知部を備えてもよい。
【００１４】
（７）  上記（１）、（３）〜（６）のウェットティッシュ用蓋において、周囲の温度を検出する外部温度検出素子と、前記外部温度検出素子により検出された温度に基づいて前記変温素子に流す前記電流を制御する電流制御部とを備えてもよい。
【００１５】
（８）  上記（１）、（２）、（４）〜（７）のウェットティッシュ用蓋において、前記台座に対する前記蓋体の着脱による前記蓋体の開閉を検出する開閉検出スイッチを備え、
前記開閉検出スイッチは、検出された前記蓋体の開閉に基づいて前記変温素子に流す前記電流を制御してもよい。
【００１６】
（９）  本発明のウェットティッシュ温度制御方法は、ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子を備え、周囲の明るさにより前記変温素子に流す電流の導通と遮断を行う、ウェットティッシュ温度制御方法である。
【００１７】
（１０）  また本発明のウェットティッシュ温度制御方法は、ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子を備え、周囲の温度により前記変温素子に流す前記電流を制御する、ウェットティッシュ温度制御方法である。
【００１８】
（１１）  また本発明のウェットティッシュ温度制御方法は、ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子と、前記台座に対する前記蓋体の着脱による前記蓋体の開閉を検出する開閉検出スイッチとを備え、前記開閉検出スイッチは、検出された前記蓋体の開閉に基づいて前記変温素子に流す前記電流を制御する、ウェットティッシュ温度制御方法である。
【発明の効果】
【００１９】
本発明によれば、ウェットティッシュが必要なときに、ウェットティッシュ用蓋が適温に制御するので、加熱による水分の減少を抑制することができる。
【図面の簡単な説明】
【００２０】
【図１】本発明の第１の実施形態のウェットティッシュ用蓋の斜視図である。
【図２】ウェットティッシュ用蓋の上蓋を開いた状態を示す上面図である。
【図３】ウェットティッシュ用蓋の模式的断面図である。
【図４】ウェットティッシュ用蓋をウェットティッシュの上端に貼りつけられた状態を示す斜視図である。
【図５】図３の領域４の拡大図である。
【図６】図３の線５−５で示す領域の拡大図である。
【図７】本発明の第１の実施形態のウェットティッシュ用蓋の温度制御回路の構成を示す回路図である。
【図８Ａ】本発明の第２の実施形態のウェットティッシュ用蓋の温度制御回路の構成を示す回路図である。
【図８Ｂ】本発明の第２の実施形態のウェットティッシュ用蓋の斜視図である。
【図９】本発明の第３の実施形態のウェットティッシュ用蓋の温度制御回路の構成を示す回路図である。
【図１０】本発明の第４の実施形態のウェットティッシュ用蓋の温度制御回路の構成を示す回路図である。
【図１１】第４の実施形態のウェットティッシュ用蓋の上蓋を開いた状態を示す上面図である。
【図１２】開閉検出スイッチとなるマイクロスイッチが取り付けられた底蓋体の一部を示す斜視図である。
【図１３】本発明の第４の実施形態のウェットティッシュ用蓋の温度制御回路の変形例の構成を示す回路図である。
【図１４】本発明の第５の実施形態におけるウェットティッシュ用蓋を、台座に対して上蓋を跳ね上げた状態で、ウェットティッシュの上端に貼りつけられた状態を示す斜視図である。
【図１５】本発明の第５の実施形態におけるウェットティッシュ用蓋を、台座と上蓋とが組み合わされた状態で、ウェットティッシュの上端に貼りつけられた状態を示す斜視図である。
【図１６】本発明の第５の実施形態における他の構成例のウェットティッシュ用蓋を、台座に対して上蓋を跳ね上げた状態で、ウェットティッシュの上端に貼りつけられた状態を示す斜視図である。
【発明を実施するための形態】
【００２１】
以下、本発明の実施形態について図面を用いて詳細に説明する。なお、ウェットティッシュは、水分、アルコール等を含む不織布を示す場合があるが、以下の説明では、ウェットティッシュは封入袋に、水分、アルコール等を含む不織布が挿入された製品を示す。
（第１の実施形態）
図１は本発明の第１の実施形態のウェットティッシュ用蓋の斜視図である。図２はウェットティッシュ用蓋の上蓋を開いた状態を示す上面図である。図３はウェットティッシュ用蓋の模式的断面図である。図４はウェットティッシュ用蓋をウェットティッシュの上端に貼りつけられた状態を示す斜視図である。図５は図３の領域４の拡大図である。図６は図３の線５−５で示す領域の拡大図である。図７は本発明の第１の実施形態のウェットティッシュ用蓋の温度制御回路の構成を示す回路図である。
図１、図２及び図３に示すように、本実施形態のウェットティッシュの蓋は、台座１０と、台座１０に着脱可能な蓋体となる上蓋体２０と、変温ユニット３０とを備える。図４に示すように、台座１０はウェットティッシュ５０の上面に貼り付けられる。
【００２２】
台座１０の中央部にはティッシュ取り出し口となる孔部１１が設けられ、これによりウェットティッシュのアルコール、水分等を含む不織布が孔部１１を通過させて引き出される。台座１０の上面は孔部１１の周縁に縦壁１２が設けられ、縦壁１２の前端には第一フック部１４が設けられる。
図５を参照すると、台座１０の底端にはフィルム１５が貼り付けられ、フィルム１５の底面にはウェットティッシュ５０の上面に粘着される粘着面１５２が形成される。粘着面１５２には剥離紙１６が貼付され、剥離紙１６は粘着面１５２を保護している。フィルム１５は両面テープに置換されてもよい。台座１０が図４に示すように、ウェットティッシュ５０の上端に貼設されるときに、剥離紙１６が剥がされる。
【００２３】
なお、図２に示すように、上蓋体２０の後端には接合部２１が設けられ、上蓋体２０は接合部２１により台座１０の後端に回動可能に連結されている。ここでは、台座１０、接合部２１及び上蓋体２０は一体成形で作られる。上蓋体２０は台座１０の後端で折り曲げ可能であり、上蓋体２０が、台座１０と組み合わせられることで孔部１１が閉じられる。
【００２４】
台座１０と上蓋体２０とが組み合わせられると、台座１０に設けられた縦壁１２は、上蓋体２０の第一フランジ２２と第二フランジ２３との間の嵌め込み溝２４に嵌入される。第一フランジ２２の側方には第二フック部２５が設けられ、台座１０と上蓋体２０とが組み合わせられると、第一フック部１４及び第二フック部２５が互いに係合される。使用者が上蓋体２０の突出部２６を上方向に引き上げると、第一フック部１４と第二フック部２５との係合、及び縦壁１２と嵌め込み溝２４との係合が外れて、台座１０から上蓋体２０を跳ねあげることができる。
【００２５】
図２及び図３に示すように、変温ユニット３０は上蓋体２０の底面に取り付けられる。変温ユニット３０は、底蓋体３１と、ホルダー３２と、温度制御部となる温度制御回路３３とを備える。変温ユニット３０は台座１０が上蓋体２０と組み合わせられたときにウェットティッシュ５０の温度を制御する。底蓋体３１は上蓋体２０の底面に設置され、第二フランジ２３の内部に配置される。底蓋体３１は盤状体であり、形状は、図２に示すような角Ｒ付き四角形に限定されず他の形状、例えば楕円形状であってもよい。ホルダー３２及び温度制御回路３３は底蓋体３１と上蓋体２０との間に設置される。ホルダー３２は温度制御回路３３を保持するが、温度制御回路３３が底蓋体３１と上蓋体２０との間に固定できればホルダー３２は無くともよい。なお、底蓋体３１と上蓋体２０との間とは、上蓋体２０内に設けることを排除する意味ではなく、温度制御回路３３の一部は上蓋体２０に設けられてもよい。例えば温度制御回路３３のうち、フォトダイオード４０の受光部は上蓋体２０の上表面に設けることができ、コネクタ３３１は上蓋体２０の上表面に露出するように設けられる。
【００２６】
図６に示すように、底蓋体３１の外端には複数の凸板３１２が設けられ、第二フランジ２３は各凸板３１２の側方に穿設される複数の嵌め込み孔２３２に組み合わせられ、各凸板３１２は各嵌め込み孔２３２にそれぞれ嵌めこまれる。これにより、底蓋体３１が上蓋体２０に固定される。ホルダー３２は盤状体であり、温度制御回路３３を内部に備えている。
【００２７】
図７に示すように、温度制御回路３３は、コネクタ３３１と、変温素子となる熱素子３３２、熱素子３３２の温度を検出する温度検出素子３３３、及び温度検出素子３３３の検出温度に基づいて熱素子３３２に流す電流の導通と遮断とを制御する電流制御部３３４を備えている。温度制御回路３３は更に、電流の導通と遮断との切り換えを行うＭＯＳトランジスタ３３５、周囲の明るさを検出する受光素子となるフォトダイオード４０、及びフォトダイオード４０のアノード側に接続される抵抗３３６を備えている。ＭＯＳトランジスタ３３５、フォトダイオード４０、及び抵抗３３６とは、周囲の明るさによりオンオフし、熱素子３３２に流す電流の導通と遮断を行うスイッチ部となる。スイッチ部はスイッチ動作が可能であるならば他の構成としてもよい。
【００２８】
コネクタ３３１、ＭＯＳトランジスタ３３５、電流制御部３３４、及び熱素子３３２は電気的に接続され、回路ループを構成する。コネクタ３３１は上蓋体２０に嵌設されて外部電源（図示せず）に接続される。コネクタ３３１はマイクロＵＳＢ型式のコネクタであるが、コネクタ３３１には他の型式のコネクタが採用されてもよく、本実施形態で使用されるマイクロＵＳＢ型式のコネクタに限定されない。
熱素子３３２は底蓋体３１に貼りつけられ、底蓋体３１の温度を変化させるために使用され、底蓋体３１に対して加熱を行う。熱素子３３２はフィルムヒーター、ラバーヒーター等の面状発熱体を用いることができる。
【００２９】
電流制御部３３４は、温度検出素子３３３で熱素子３３２の温度を感知し、熱素子３３２の温度が既定の安全温度まで上昇した場合に電流を遮断し、熱素子３３２の加熱を停止させることで、熱素子３３２及び底蓋体３１が過熱するのを回避する。電流制御部３３４は、電流の遮断後に、熱素子３３２の温度が既定の起動温度より低くなると、電流を流し熱素子３３２の加熱を行う。温度検出素子３３３と電流制御部３３４とは加熱防止用に通常設けるが本実施形態においてはなくともよい。
【００３０】
フォトダイオード４０の受光部は上蓋体２０の上表面に受光部が配置されるように取り付けられる。フォトダイオード４０は、光が検出されない時には電流が流れず、ＭＯＳトランジスタ３３５のゲートはロウ（ｌｏｗ）レベルとなり、ＭＯＳトランジスタ３３５はオフして電流が遮断され、熱素子３３２に電流が流れなくなる。これによって、コネクタ３３１に外部電源が接続されていても、夜や使用者の不在で照明が落とされた状態であればフォトダイオード４０で光が検出されないために、熱素子３３２によってウェットティッシュが加熱されず、ウェットティッシュ内の水分を含む不織布の水分蒸発を防ぎ、加熱による水分の減少を抑制することができる。
【００３１】
フォトダイオード４０で光が検出されない場合でも、ウェットティッシュを加熱する状態を保っておきたい場合には、スイッチ３３７を設けて、スイッチ３３７を接続状態としておけばよい。スイッチ３３７を切断状態としておけば、フォトダイオード４０での光の検出により、熱素子３３２による加熱を行うことはできることは勿論である。スイッチ３３７は必要に応じて設けられる。
【００３２】
前述の第１実施形態に基づくと、台座１０をウェットティッシュ上に設置させる場合、まず、使用者がウェットティッシュ５０の取り出し口の外部に貼設されるシール片を除去して取り出し口を露出させる。その後、使用者が台座１０の底端の剥離紙１６を剥がして、粘着面１５２を露出させる。そして、使用者は孔部１１がウェットティッシュ５０の取り出し口に対向するように、台座１０をフィルム１５を利用してウェットティッシュの上部に貼付する。こうして、使用者は孔部１１及びウェットティッシュ５０の取り出し口を介してウェットティッシュ内の水分を含む不織布を取り出せる。
【００３３】
上蓋体２０により台座１０の上端が蓋をされると、ウェットティッシュ５０の取り出し口が封鎖され、ウェットティッシュ内の取り出されていない不織布の乾燥速度を低下させる。上蓋体２０により台座１０の上端が蓋をされた状態で、コネクタ３３１が外部電源に電気的に接続され、フォトダイオード４０で光が検出されると、ＭＯＳトランジスタ３３５がオンして、熱素子３３２に電流が供給される。熱素子３３２の加熱により発生する熱エネルギーは底蓋体３１を経てウェットティッシュ５０の内部に伝熱され、熱エネルギーによって不織布が加熱され、ウェットティッシュの使用上の快適性が高まる。ウェットティッシュ内の不織布が無くなった場合、台座１０が空のウェットティッシュから剥離された後、フィルム１５により台座１０が他のウェットティッシュに貼付される。こうして、本実施形態のウェットティッシュ用蓋は繰り返し使用可能となる。
【００３４】
（第２の実施形態）
図８Ａは本発明の第２の実施形態のウェットティッシュ用蓋の温度制御回路の構成を示す回路図である。図８Ｂは本発明の第２の実施形態のウェットティッシュ用蓋の斜視図である。図８Ａに示す温度制御回路において図７に示した温度制御回路と同一構成部材については同一符号を付して説明を省略する。本実施形態のウェットティッシュの蓋の構成は外部温度検出素子３４０を設けた点を除き、図１〜図６を用いて説明したウェットティッシュの蓋の構成と同じである。
【００３５】
第１の実施形態のウェットティッシュ用蓋は、コネクタ３３１から外部電源を切り離すと熱素子３３２に電流が供給されなくなる。
第２の実施形態のウェットティッシュの蓋は、図８Ａに示すように、バッテリ３３８を備えており、バッテリ３３８から電流を供給することで、コネクタ３３１から外部電源を切り離しても熱素子３３２に電流を流すことが可能である。バッテリ３３８は、温度制御回路３３の一部として含まれ、底蓋体３１と上蓋体２０との間に設置される。
第２実施形態では、コネクタ３３１から外部電源が切り離なされたときに、バッテリ３３８の蓄積電荷の減少による出力電流減少を防ぐために、バッテリ３３８のバッテリ残量を検出する検出部となるバッテリ残量検出回路３３９、外部温度検出素子３４０、報知部３４１及びスイッチ３４２を設けている。ＭＯＳトランジスタ３３５、フォトダイオード４０、及び抵抗３３６を備えたスイッチ部もバッテリ３３８の蓄積電荷の減少に寄与することは勿論である。
【００３６】
バッテリ残量検出回路３３９はバッテリ３３８の電圧を検出して、バッテリ３３８の電圧が一定電圧以下となった場合に電流制御部３３４に電圧低下検出信号を送る。電流制御部３３４は電圧低下検出信号を受けると、熱素子３３２に流す電流を制御、すなわち制限又は遮断する。また、バッテリ残量検出回路３３９は報知部３４１に報知指示信号を送る。報知指示信号を受けた報知部３４１は、ＬＥＤ等の発光素子を点灯又は点滅させる、音声で知らせる、液晶表示素子等の表示部にバッテリ残量を表示する等により使用者にバッテリ３３８の電圧低下を知らせる。使用者がコネクタ３３１に外部電源を接続し、充電によりバッテリ３３８の電圧値が回復した場合には、バッテリ残量検出回路３３９はバッテリ３３８の電圧を検出して、バッテリ３３８の電圧が回復したときは電流制御部３３４に電圧回復検出信号を送る。電流制御部３３４は電圧回復検出信号を受けると、熱素子３３２に流す電流の制限を解除又は電流を導通可能とする。報知部３４１は必要に応じて設けられる。また、バッテリ残量検出回路３３９も必要に応じて設けられる。
【００３７】
外部温度検出素子３４０は上蓋体２０の上表面に取り付けられ、周囲の温度を検出して、温度検出値を電流制御部３３４に出力する。電流制御部３３４は温度検出値に基づいて周囲の温度が一定値を超えたと判断した場合には、熱素子３３２に流す電流を制御、すなわち、電流を制限又は遮断する。このような動作は、ウェットティッシュが外に持ち出された場合、交通機関の暖房や、店舗の暖房により、周囲の温度が上昇して、熱素子３３２による加熱が不要となる場合に有効である。
逆に、電流制御部３３４は温度検出値に基づいて周囲の温度が一定値より下がったと判断した場合には、熱素子３３２に流す電流の制限を解除又は電流を導通可能とする。このような動作は、ウェットティッシュは外に持ち出された場合、外気に触れて、ウェットティッシュの温度が低下し、熱素子３３２による加熱が必要となる場合に有効である。
【００３８】
スイッチ３４２は、熱素子３３２に流す電流を遮断するために設けられる。ウェットティッシュが外に持ち出された場合、店舗の暖房により、ウェットティッシュの温度が適温に保たれ、熱素子３３２による加熱が不要となる場合に、使用者はスイッチ３４２をオフすることで熱素子３３２に流す電流を遮断することができる。スイッチ３４２は必要に応じて設けられる。
第２の実施形態において、バッテリ３３８は必要に応じて設けられる。バッテリ３３８を設けない場合にはバッテリ残量検出回路３３９、報知部３４１は不要となる。
【００３９】
（第３の実施形態）
図９は本発明の第３の実施形態のウェットティッシュ用蓋の温度制御回路の構成を示す回路図である。図９に示す温度制御回路において図８に示した温度制御回路と同一構成部材については同一符号を付して説明を省略する。本実施形態のウェットティッシュ用蓋の構成は図１〜図６を用いて説明したウェットティッシュ用蓋の構成と同じである。
ウェットティッシュ用蓋が取り付けられたウェットティッシュがバックに入れて外に持ち出された場合等のように、ウェットティッシュ用蓋が取り付けられたウェットティッシュが暗い環境に置かれる場合がある。このような場合、ＭＯＳトランジスタ３３５、フォトダイオード４０及び抵抗３３６が設けられていると、熱素子３３２による加熱ができなくなる。そこで、第３の実施形態では、暗い環境に置かれたときでも熱素子３３２による加熱動作を行うために、ＭＯＳトランジスタ３３５、フォトダイオード４０及び抵抗３３６を設けていない。また、図８に示したスイッチ３３７は、ＭＯＳトランジスタ３３５、フォトダイオード４０及び抵抗３３６を削除したため設けていない。
第３の実施形態において、バッテリ３３８は必要に応じて設けられる。バッテリ３３８を設けない場合にはバッテリ残量検出回路３３９、報知部３４１は不要となる。スイッチ３４２は必要に応じて設けられる。
【００４０】
（第４の実施形態）
図１０は本発明の第４の実施形態のウェットティッシュ用蓋の温度制御回路の構成を示す回路図である。図１１は第４の実施形態のウェットティッシュ用蓋の上蓋を開いた状態を示す上面図である。図１２は開閉検出スイッチとなるマイクロスイッチが取り付けられた底蓋体の一部を示す斜視図である。
図１０に示す温度制御回路において、図８Ａに示した温度制御回路と同一構成部材については同一符号を付して説明を省略する。また図１１及び図１２に示す本実施形態のウェットティッシュ用蓋の構成は図１〜図６を用いて説明したウェットティッシュ用蓋の構成と同一構成部材については同一符号を付して説明を省略する。
【００４１】
図１０に示す本実施形態の温度制御回路は開閉検出スイッチ３４３を備えており、図１１及び図１２では、開閉検出スイッチ３４３としてマイクロスイッチを用いた場合を示している。以下、開閉検出スイッチ３４３はマイクロスイッチであるとして説明する。図１２に示すように、開閉検出スイッチ３４３は底蓋体３１の内側に取り付けられ、開閉検出スイッチ３４３の突出部３４３ａが押し込められると開閉検出スイッチ３４３の共通端子（ＣＯＭ）とＯＮ端子とが導通して、図１０に示すバッテリ３３８から電流が開閉検出スイッチ３４３及び電流制御部３３４を介して熱素子３３２に流れる。開閉検出スイッチ３４３の突出部３４３ａへの押し込みが無くなると、突出部３４３ａが飛び出し、開閉検出スイッチ３４３の共通端子（ＣＯＭ）とＯＮ端子との間の導通が遮断され、熱素子３３２に電流が流れなくなる。
開閉検出スイッチ３４３は、台座１０に対する上蓋体２０の開閉によってオン、オフする。
【００４２】
上蓋体２０が台座１０に組み合わせられているときには、縦壁１２に設けられた凸部１７で開閉検出スイッチ３４３の突出部３４３ａが押し込められ、開閉検出スイッチ３４３の共通端子（ＣＯＭ）とＯＮ端子との間は導通して開閉検出スイッチ３４３はオン状態にある。一方、使用者が、図１に示した上蓋体２０の突出部２６を上方向に引き上げると、図１１に示す第一フック部１４と第二フック部２５との係合、及び縦壁１２と嵌め込み溝２４との係合が外れて、台座１０から上蓋体２０が跳ねあげられる。すると、縦壁１２に設けられた凸部１７での押圧がなくなるため、開閉検出スイッチ３４３の突出部３４３ａが飛び出し、開閉検出スイッチ３４３の共通端子（ＣＯＭ）とＯＮ端子との間の導通が遮断され、開閉検出スイッチ３４３はオフ状態になる。上蓋体２０が閉じられ、上蓋体２０が台座１０に組み合わせられると、縦壁１２に設けられた凸部１７で開閉検出スイッチ３４３の突出部３４３ａが押し込められ、開閉検出スイッチ３４３は再びオン状態となる。
このような動作により、ウェットティッシュの上蓋体２０が閉じているときに加熱されるが、ティッシュ取り出し口となる孔部１１は上蓋体２０によって覆われているために加熱による孔部１１からの水分蒸発が抑制される。また、上蓋体２０が開くと底蓋体３１への熱素子３３２による加熱がなくなるため電力消費を抑えることができる。
開閉検出スイッチ３４３は、台座１０から上蓋体２０が跳ねあげられ、突出部３４３ａが飛び出してから、一定時間経過後に、開閉検出スイッチ３４３がオフ状態となるように、タイマー回路を内蔵していていもよい。
【００４３】
（変形例）
以上、図１０に示した開閉検出スイッチ３４３はマイクロスイッチであるとして説明したが、開閉検出スイッチ３４３はマイクロスイッチに限定されず、フォトダイオードとトランジスタと抵抗とを用いて構成してもよい。
図１３は、本発明の第４の実施形態のウェットティッシュ用蓋の温度制御回路の変形例の構成を示す回路図である。
図１３に示すように、温度制御回路３３は、電流の導通と遮断との切り換えを行うＭＯＳトランジスタ３４５、明るさを検出する受光素子となるフォトダイオード４１、及びフォトダイオード４１のカソード側に接続される抵抗３４４を備えている。ＭＯＳトランジスタ３４５、フォトダイオード４１、及び抵抗３４４とは、上蓋体２０が開閉されたときの明るさの変化によりオンオフし、熱素子３３２に流す電流の導通と遮断を行う開閉検出スイッチとなる。
【００４４】
バッテリ３３８、ＭＯＳトランジスタ３４５、電流制御部３３４、及び熱素子３３２は電気的に接続され、回路ループを構成する。
【００４５】
フォトダイオード４１の受光部は、図１１に示すように上蓋体２０の内表面に受光部が配置されるように取り付けられる。フォトダイオード４０には、上蓋体２０が閉じられて光が検出されない時には電流が流れず、ＭＯＳトランジスタ３４５のゲートはハイ(High)レベルとなり、ＭＯＳトランジスタ３３５はオンして電流が流れ、熱素子３３２に電流が供給され、ウェットティッシュが加熱される。一方、上蓋体２０が開かれて光が検出される時にはフォトダイオード４０に電流が流れ、ＭＯＳトランジスタ３４５のゲートはロウ(Low)レベルとなり、ＭＯＳトランジスタ３３５はオフして電流が遮断され、熱素子３３２に電流が供給されなくなる。
第４の実施形態において、バッテリ３３８は必要に応じて設けられる。バッテリ３３８を設けない場合にはバッテリ残量検出回路３３９、報知部３４１は不要となる。スイッチ３４２は必要に応じて設けられる。
【００４６】
以上の説明では、上蓋体２０が開いたときに、開閉検出スイッチがオフし、熱素子３３２に電流が流れなくなるものとして説明したが、電流を完全に停止せず、上蓋体２０が開いたときに、開閉検出スイッチが電流を低減するようにして加熱レベルを２段階に設定してもよい。
開閉検出スイッチは自身が電流を制限又は遮断するのではなく、電流制御部３３４を制御して熱素子３３２に流れる電流を制限又は遮断するようにしてもよい。
本実施形態の開閉スイッチは、第１から第３の実施形態の温度制御回路に挿入してもよい。
【００４７】
（第５の実施形態）
第１から第４の実施形態では、使用者が、上蓋体２０の突出部２６を上方向に引き上げることで、台座１０に対して上蓋体２０を跳ねあげていた。この場合、第一フック部１４と第二フック部２５との係合、及び縦壁１２と嵌め込み溝２４との係合を外す必要があるため、使用者が、突出部２６を上方向に引き上げることが求められる。
本実施形態では、操作部を押し下げることで、自動的に台座に対して上蓋を跳ね上げることができる、ウェットティッシュ用蓋について説明する。なお、以下の説明においては図３の変温ユニット３０に対応する部分については説明を省略するが、変温ユニット３０に対応する部分は上蓋６０の底面に装着される。
【００４８】
図１４は第５の実施形態におけるウェットティッシュ用蓋を、台座に対して上蓋を跳ね上げた状態で、ウェットティッシュの上端に貼りつけられた状態を示す斜視図である。図１５は第５の実施形態におけるウェットティッシュ用蓋を、台座と上蓋とが組み合わされた状態で、ウェットティッシュの上端に貼りつけられた状態を示す斜視図である。なお、第１から第４の実施形態で説明した温度制御回路を第５の実施形態においても適用できることは勿論である。図１５においては、図１に示したフォトダイオード４０、図８Ｂに示したフォトダイオード４０及び外部温度検出素子３４０は省略されている。また、図１５において、上蓋６０の上面にコネクタ３３１を取り付けるために、図１及び図８Ｂに示したような上蓋体２０の形状としてもよいことは勿論である。
【００４９】
図１５に示す台座７０と上蓋６０とが組み合わされた状態から、台座７０に対して上蓋６０を跳ね上げるには、使用者が、図１５に示す操作部７２を下方に押し下げる。すると、フック部６１が操作部７２との係合から外れ、１対のゴム片８０−１、８０−２の弾性力により台座７０に対して上蓋６０が回動して上蓋６０が跳ね上がる。すると、ウェットティッシュ取り出し口が露出し、これによりウェットティッシュの不織布を取り出すことが可能となる。また、上蓋６０を閉じるときには、使用者が１対のゴム片８０−１、８０−２の弾性力に抗して上蓋６０を回動させる。図１４では図２の第一フランジ２２と第二フランジ２３の代わりに１つのフランジ６２が設けられ、台座７０の縦壁７３と組み合わせ可能となっている。
【００５０】
１対のゴム片８０−１、８０−２は一方の端部がゴム片押さえ７１−１、７１−２によって固定されている。ゴム片押さえ７１−１、７１−２は１対のゴム片８０−１、８０−２の先端が入り込む穴がそれぞれ形成されている。台座７０と上蓋６０とが組み合わされた状態ではゴム片８０−１、８０−２が曲げられた状態となり、操作部７２を下方に押し下げると、ゴム片８０−１、８０−２が元に戻ろうとする弾性力により台座７０に対して上蓋６０が跳ね上がる。
なお、ゴム片は必ずしも一対とする必要はなく、図１６に示すように、１つのゴム片８０を用い、一つのゴム片押さえ７１も１つとしてよい。
【００５１】
以上説明した第１から第５の各実施形態において、変温素子として熱素子を用いた場合について説明したが、変温素子としてペルチェ素子等の冷却素子を用いてもよい。冷却素子は底蓋体を冷却し、ウェットティッシュ内の不織布の冷却を行う。これにより、酷暑の地域或いは季節において、ウェットティッシュの使用上の快適性が高まる。温度検出素子３３３は冷却素子の温度の感知に用いられ、電流制御部３３４は、冷却素子の温度が既定の安全温度まで低下すると電流を遮断し、冷却素子の熱エネルギーの吸収を停止させる。これにより、冷却素子及び底蓋体の温度が低くなり過ぎるのを回避する。電流が遮断され後、冷却素子の温度が既定の起動温度まで上昇すると、電流制御部３３４は電流を流し、冷却素子は熱エネルギーの吸収を開始する。変温素子として、熱素子と冷却素子との両方を設け、図８Ａに示した外部温度検出素子３４０の温度検出値により熱素子と冷却素子とのいずれかに切り替えても良い。
【００５２】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００５３】
１０、７０  台座
２０、６０  上蓋体
３０  変温ユニット
４０、４１  フォトダイオード
５０  ウェットティッシュ
【図１】
2019001547.tif 000003
【図２】
2019001547.tif 000004
【図３】
2019001547.tif 000005
【図４】
2019001547.tif 000006
【図５】
2019001547.tif 000007
【図６】
2019001547.tif 000008
【図７】
2019001547.tif 000009
【図８Ａ】
2019001547.tif 000010
【図８Ｂ】
2019001547.tif 000011
【図９】
2019001547.tif 000012
【図１０】
2019001547.tif 000013
【図１１】
2019001547.tif 000014
【図１２】
2019001547.tif 000015
【図１３】
2019001547.tif 000016
【図１４】
2019001547.tif 000017
【図１５】
2019001547.tif 000018
【図１６】
2019001547.tif 000019
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体を加熱と冷却との少なくとも一方を行う変温素子と、周囲の明るさによりオンオフし、前記変温素子に流す前記電流の導通と遮断を行うスイッチ部と、
前記スイッチ部に対して並列に設けられ、前記周囲の明るさによらず前記変温素子に流す前記電流を導通させるスイッチと、を備える、ウェットティッシュ用蓋。
【請求項２】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体に対する加熱と冷却との少なくとも一方を行う変温素子と、前記ウェットティッシュ用蓋の外部の周囲の温度を検出する外部温度検出素子と、前記外部温度検出素子により検出された温度に基づいて前記変温素子に流す前記電流を制御する電流制御部とを備える、ウェットティッシュ用蓋。
【請求項３】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体に対する加熱と冷却との少なくとも一方を行う変温素子と、前記台座に対する前記蓋体の着脱による前記蓋体の開閉を検出する開閉検出スイッチと、を備え、
前記開閉検出スイッチは、検出された前記蓋体の開閉に基づいて前記変温素子に流す前記電流を制御する、ウェットティッシュ用蓋。
【請求項４】
前記コネクタはバッテリに接続され、該バッテリから前記電流が供給される、請求項１から３のいずれか１項に記載のウェットティッシュ用蓋。
【請求項５】
前記バッテリのバッテリ残量を検出する検出部を備え、該バッテリ残量に基づいて前記変温素子に流す電流を制御する請求項４に記載のウェットティッシュ用蓋。
【請求項６】
前記バッテリのバッテリ残量を検出する検出部を備え、前記検出部からのバッテリ残量を報知する報知部を備えた、請求項４に記載のウェットティッシュ用蓋。
【請求項７】
周囲の温度を検出する外部温度検出素子と、前記外部温度検出素子により検出された温度に基づいて前記変温素子に流す前記電流を制御する電流制御部とを備える、請求項１、３〜６のいずれか１項に記載のウェットティッシュ用蓋。
【請求項８】
前記台座に対する前記蓋体の着脱による前記蓋体の開閉を検出する開閉検出スイッチを備え、
前記開閉検出スイッチは、検出された前記蓋体の開閉に基づいて前記変温素子に流す前記電流を制御する、請求項１、２、及び４〜７のいずれか１項に記載のウェットティッシュ用蓋。
【請求項９】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子を備え、スイッチにより、周囲の明るさにより前記変温素子に流す電流の導通と遮断を行う動作と、前記周囲の明るさによらず前記変温素子に流す前記電流を導通させる動作を切り換える、ウェットティッシュ温度制御方法。
【請求項１０】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子を備え、外部温度検出素子により検出される前記ウェットティッシュ用蓋の外部の周囲の温度により前記変温素子に流す前記電流を制御する、ウェットティッシュ温度制御方法。
【請求項１１】
ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子と、前記台座に対する前記蓋体の着脱による前記蓋体の開閉を検出する開閉検出スイッチとを備え、前記開閉検出スイッチは、検出された前記蓋体の開閉に基づいて前記変温素子に流す前記電流を制御する、ウェットティッシュ温度制御方法。
【手続補正２】
【補正対象書類名】明細書
【補正対象項目名】０００８
【補正方法】変更
【補正の内容】
【０００８】
（１）  本発明に係るウェットティッシュ用蓋は、ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体を加熱と冷却との少なくとも一方を行う変温素子と、周囲の明るさによりオンオフし、前記変温素子に流す前記電流の導通と遮断を行うスイッチ部と、
前記スイッチ部に対して並列に設けられ、前記周囲の明るさによらず前記変温素子に流す前記電流を導通させるスイッチと、を備える、ウェットティッシュ用蓋である。
【手続補正３】
【補正対象書類名】明細書
【補正対象項目名】０００９
【補正方法】変更
【補正の内容】
【０００９】
（２）  また本発明に係るウェットティッシュ用蓋は、ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋であって、
前記変温ユニットは底蓋体と、温度制御部とを含み、
前記温度制御部は前記底蓋体と前記蓋体との間に設置され、
前記温度制御部は、外部電源に接続されるコネクタと、電流に基づいて前記底蓋体に対する加熱と冷却との少なくとも一方を行う変温素子と、前記ウェットティッシュ用蓋の外部の周囲の温度を検出する外部温度検出素子と、前記外部温度検出素子により検出された温度に基づいて前記変温素子に流す前記電流を制御する電流制御部とを備える、ウェットティッシュ用蓋である。
【手続補正４】
【補正対象書類名】明細書
【補正対象項目名】００１６
【補正方法】変更
【補正の内容】
【００１６】
（９）  本発明のウェットティッシュ温度制御方法は、ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子を備え、スイッチにより、周囲の明るさにより前記変温素子に流す電流の導通と遮断を行う動作と、前記周囲の明るさによらず前記変温素子に流す前記電流を導通させる動作を切り換える、ウェットティッシュ温度制御方法である。
【手続補正５】
【補正対象書類名】明細書
【補正対象項目名】００１７
【補正方法】変更
【補正の内容】
【００１７】
（１０）  また本発明のウェットティッシュ温度制御方法は、ティッシュ取り出し口となる孔部を有する台座と、該台座に着脱可能な蓋体と、該蓋体の底面に取り付けられ、前記蓋体が前記台座に取り付けられたときにウェットティッシュの温度を制御する変温ユニットとを備えたウェットティッシュ用蓋のウェットティッシュ温度制御方法であって、
前記変温ユニットは、電流に基づいて前記ウェットティッシュの加熱と冷却との少なくとも一方を行う変温素子を備え、外部温度検出素子により検出される前記ウェットティッシュ用蓋の外部の周囲の温度により前記変温素子に流す前記電流を制御する、ウェットティッシュ温度制御方法である。